【手続補正書】
【提出日】平成17年2月21日(2005.2.21)
【手続補正１】
【補正対象書類名】明細書
【補正対象項目名】特許請求の範囲
【補正方法】変更
【補正の内容】
【特許請求の範囲】
【請求項１】  ビデオトリップワイヤシステムであって：
ビデオ出力を生成する検出装置と；
較正を行うため及び前記検出装置から受信されたビデオ出力に基づいてデータを収集して処理するために，ユーザーインターフェースを含むコンピュータシステムと；
を備え，
前記ユーザーインターフェースは入力手段と出力手段とを含み，前記コンピュータシステムは処理済データを表示することを特徴とする，ビデオトリップワイヤシステム。
【請求項２】  前記検出装置から前記ビデオ出力を伝送する伝送手段と；
前記伝送手段によって，前記ビデオ出力を伝送する通信媒体と；
前記通信媒体から前記ビデオ出力を受信する受信手段と；
をさらに備えることを特徴とする，請求項１に記載のビデオトリップワイヤシステム。
【請求項３】  前記通信媒体はケーブルであることを特徴とする，請求項２に記載のビデオトリップワイヤシステム。
【請求項４】  前記通信媒体は通信ネットワークを含むことを特徴とする，請求項２に記載のビデオトリップワイヤシステム。
【請求項５】  前記出力手段は，可視警報を伝達する可視警報伝達手段もしくは可聴警報を伝達する可聴警報伝達手段のうち少なくとも一方を含むことを特徴とする，請求項１に記載のビデオトリップワイヤシステム。
【請求項６】  前記出力手段が，ビジュアル表示デバイスを含むことを特徴とする，請求項１に記載のビデオトリップワイヤシステム。
【請求項７】  前記ビジュアル表示デバイスは，ビデオ，１又は２以上のスナップ写真，および英数字情報のうち少なくとも一つを表示することを特徴とする，請求項６に記載のビデオトリップワイヤシステム。
【請求項８】  ビデオデータまたは英数字データのうち少なくとも一方を格納する１又は２以上のメモリデバイスを更に備えることを特徴とする，請求項１に記載のビデオトリップワイヤシステム。
【請求項９】  前記感知デバイスは，ビデオカメラと，赤外線カメラと，音波ホログラフィー装置と，赤外線画像装置とのうち少なくとも１つを備えることを特徴とする，請求項１に記載のビデオトリップワイヤシステム。
【請求項１０】  ビデオ出力を生成する少なくとも１つの追加の感知デバイスをさらに備え，
前記コンピュータシステムは，さらに前記追加の感知デバイスにより生成されたビデオ出力を受信して処理することを特徴とする，請求項１に記載のビデオトリップワイヤシステム。
【請求項１１】  ビデオトリップワイヤシステムを実行する方法であって：
前記システムによって使用される感知デバイスパラメータを決定するために感知デバイスを較正するステップと；
少なくとも１つの仮想トリップワイヤを入力するステップが含まれる，前記システムを初期化するステップと；
前記感知デバイスからデータを得るステップと；
前記少なくとも１つのバーチャルトリップワイヤが横断されたか否かを決定するために，前記感知デバイスから得られる前記データを分析するステップと；
バーチャルトリップワイヤ横断に対する応答を起動するステップと；
を備える，ビデオトリップワイヤシステムを実行する方法。
【請求項１２】  前記較正するステップは，
ユーザーによって，手作業でパラメータを入力するステップと；
前記ユーザーへのビジュアルフィードバックを生成するステップと；
前記ビジュアルフィードバックの外観が前記ユーザーに受け入れられない場合，前記ユーザーが，前記パラメータを再入力することを可能とするステップと；
を備えることを特徴とする，請求項１１に記載のビデオトリップワイヤシステムを実行する方法。
【請求項１３】  前記較正するステップは，
前記感知デバイスの視野を通過するように人を移動させるステップと；
前記移動する人をセグメント化するステップと；
パラメータを決定するために，前記視野の異なる領域内の前記人のサイズを使用するステップと；
ユーザーにビジュアルフィードバックを供給するステップと；
前記ビジュアルフィードバックの外観が前記ユーザーに受け入れられない場合，前記パラメータの調整を可能とするステップと；
を備えることを特徴とする，請求項１１に記載のビデオトリップワイヤシステムを実行する方法。
【請求項１４】  前記調整を可能とするステップは，前記ユーザーが手作業で前記パラメータを調整することを可能とするステップを備えることを特徴とする，請求項１３に記載のビデオトリップワイヤシステムを実行する方法。
【請求項１５】  前記調整を可能とするステップは，前記較正するステップを再スタートするステップを備えることを特徴とする，請求項１３に記載のビデオトリップワイヤシステムを実行する方法。
【請求項１６】  前記調整を可能とするステップは，前記ユーザーが手作業で前記パラメータを調整するか，又は較正するステップを再スタートするかのいずれかを選択することを可能とするステップを備えることを特徴とする，請求項１３に記載のビデオトリップワイヤシステムを実行する方法。
【請求項１７】  前記セグメント化するステップは，
ピクセルレベル背景モデリングを行うステップと；
フォアグラウンド検出と追跡を実行するステップと；
フォアグラウンドオブジェクトを分析するステップと，
を備えることを特徴とする，請求項１３に記載のビデオトリップワイヤシステムを実行する方法。
【請求項１８】  前記較正するステップは，
前記感知デバイスを使用して所定時間ビデオ情報を収集するステップと；
前記ビデオ情報からオブジェクトをセグメント化するステップと；
前記セグメント化されたオブジェクトを分析して前記感知デバイスの視野に対応するビデオ画像の様々な領域内の人の平均サイズを決定するステップと；
前記様々な領域内の人の平均サイズを使用パラメータを決定するステップと；
を備えることを特徴とする，請求項１１に記載のビデオトリップワイヤシステムを実行する方法。
【請求項１９】  前記セグメント化するステップは，
ピクセルレベル背景モデリングを行うステップと；
フォアグラウンド検出と追跡を行うステップと；
フォアグラウンドオブジェクトを分析するステップと；
を備えることを特徴とする，請求項１８に記載のビデオトリップワイヤシステムを実行する方法。
【請求項２０】  前記分析するステップは，
前記ビデオ画像の突出しない領域を決定するステップと；
前記ビデオ画像の突出した領域内で検出されるフォアグラウンドオブジェクトのヒストグラムを形成するステップと；
を備えることを特徴とする，請求項１８に記載のビデオトリップワイヤシステムを実行する方法。
【請求項２１】  前記ビデオ画像の指定の領域内の人の平均サイズの決定は，その領域内で検出された多数のフォアグラウンドオブジェクトが，所定数を越える場合だけ行われることを特徴とする，請求項２０に記載のビデオトリップワイヤシステムを実行する方法。
【請求項２２】  ヒストグラムの最高ピークは，一人の人に対応するように取られることを特徴とする，請求項２０に記載のビデオトリップワイヤシステムを実行する方法。
【請求項２３】  前記ユーザーによって，較正するのに使用される１又は２以上のタイムウインドウを入力するステップをさらに備えることを特徴とする，請求項１８に記載のビデオトリップワイヤシステムを実行する方法。
【請求項２４】  前記システムを初期化するステップは，少なくとも１つのロギングオプションを選択するステップをさらに含むことを特徴とする，請求項１１に記載のビデオトリップワイヤシステムを実行する方法。
【請求項２５】  前記分析するステップは，検出されたオブジェクトが前記少なくとも１つのバーチャルトリップワイヤにオーバーラップするか否かを決定するステップを備えることを特徴とする，請求項１１に記載のビデオトリップワイヤシステムを実行する方法。
【請求項２６】  前記較正するステップは，
オブジェクトのセグメンテーションを行うステップを備え，
前記検出されたオブジェクトが，前記オブジェクトのセグメンテーションを行うステップに基づいて検出されることを特徴とする，請求項２５に記載のビデオトリップワイヤシステムを実行する方法。
【請求項２７】  前記オブジェクトのセグメンテーションを行うステップは，
ピクセルレベル背景モデリングを行うステップと；
フォアグラウンド検出と追跡を行うステップと；
フォアグラウンドオブジェクトを分析するステップと，
を備えることを特徴とする，請求項２６に記載のビデオトリップワイヤシステムを実行する方法。
【請求項２８】  前記分析するステップは，
オブジェクトのセグメンテーションを行うステップをさらに備え； 
前記検出されたオブジェクトが，前記オブジェクトのセグメンテーションを行うステップに基づいて検出されることを特徴とする，請求項２５に記載のビデオトリップワイヤシステムを実行する方法。
【請求項２９】  前記オブジェクトのセグメンテーションを行うステップは，
ピクセルレベル背景モデリングを行うステップと；
フォアグラウンド検出と追跡を行うステップと；
フォアグラウンドブジェクトを分析するステップと；
を備えることを特徴とする，請求項２６に記載のビデオトリップワイヤシステムを実行する方法。
【請求項３０】  前記分析するステップは，
検出されたオブジェクトが前記少なくとも１つのバーチャルトリップワイヤにオーバーラップしているか否かを決定する前記ステップについて，肯定結果を戻す場合，横断の方向がユーザーによって入力される横断の方向とマッチするか否かを決定するステップをさらに備えることを特徴とする，請求項２５に記載のビデオトリップワイヤシステムを実行する方法。
【請求項３１】  前記分析するステップは，
横断の方向がユーザーによって入力される横断の方向とマッチするか否かを決定する前記ステップが，肯定結果を戻す場合，前記検知されたオブジェクトの性質に関して少なくとも１つの追加の問い合わせを行うステップをさらに備えることを特徴とする，請求項３０に記載のビデオトリップワイヤシステムを実行する方法。
【請求項３２】  前記分析するステップは，
検出されたオブジェクトが前記少なくとも１つの仮想トリップワイヤにオーバーラップしているか否かを決定する前記ステップが，肯定結果を戻す場合，前記検知されたオブジェクトの性質に関して少なくとも１つの追加の問い合わせを行うステップをさらに備えることを特徴とする，請求項２５に記載のビデオトリップワイヤシステムを実行する方法。
【請求項３３】  応答を起動する前記ステップは，音響警報を作動すること，視覚警報を作動すること，スナップ写真を撮ること，及びビデオを記録することの内の少なくとも１つを備えることを特徴とする，請求項１１に記載のビデオトリップワイヤシステムを実行する方法。
【請求項３４】  テールゲーティング検出の方法は，請求項１１に記載の方法を含み，さらに，
人が対象となるエリアに入っている検出するステップと；
前記検出ステップに応答して前記対象となるエリアの監視を開始するステップと；
前記対象となるエリアに入る人の数が許容数よりも多いか否かを決定するステップと；
前記決定するステップが肯定結果を戻す場合，応答を起動するステップと；
を備えることを特徴とする，テールゲーティング検出方法。
【請求項３５】  請求項１１に記載の方法を実施するソフトウェアを含むことを特徴とする，コンピュータ読取り可能媒体。
【請求項３６】  請求項１１に記載の方法を実施するソフトウェアを実行することを特徴とする，コンピュータシステム。
【請求項３７】  ビデオトリップワイヤシステムであって：
出力データを供給する感知デバイスと；
前記出力データを受信するコンピュータシステムと；
を備え；
前記コンピュータシステムは，
ユーザーインターフェースと；
少なくとも１つのプロセッサと；
請求項１１に記載の方法を実施するソフトウェアを含有するコンピュータ読み取り可能な媒体と；
を備えることを特徴とする，ビデオトリップワイヤシステム。
【請求項３８】  前記コンピュータシステムは，前記較正，前記収集，および前記処理するためのアプリケーション専用ハードウェアを備えていることを特徴とする，請求項１に記載のビデオトリップワイヤシステム。
【請求項３９】  ビデオトリップワイヤを実行する装置であって：
装置によって使用される感知デバイスパラメータを決定するために感知デバイスを較正する工程と；
少なくとも１つの仮想トリップワイヤを入力する工程が含まれ，前記装置を初期化する工程と；
前記感知デバイスからデータを得る工程と；
少なくとも１つの仮想トリップワイヤが横断されたか否かを決定するために，前記感知デバイスからのデータを分析する工程と；
前記仮想トリップワイヤ横断に対する応答を起動する工程と；
を含んだビデオトリップワイヤを実行することを特徴とする，ビデオトリップワイヤを実行する装置。
【請求項４０】  前記ビデオトリップワイヤを実行する装置は，コンピュータ及び／又はソフトウェアをエミュレートするアプリケーション専用ハードウェアを備え，
前記アプリケーション専用ハードウェアは，前記較正，前記装置の初期化，前記データを得る，前記データの分析，前記起動を実行するのに適応していることを特徴とする，請求項３９に記載のビデオトリップワイヤを実行する装置。
【手続補正２】
【補正対象書類名】明細書
【補正対象項目名】００１７
【補正方法】変更
【補正の内容】
【００１７】
本発明の１つの実施形態は，まだ設けられていない場合，感知デバイス（ビデオカメラ，あるいは，他のそのような装置でよい）を設置するステップと；その感知デバイスを較正するステップと，バーチャルトリップワイヤとして境界を設定するステップと，データを収集するステップと，を含む，ビデオトリップワイヤシステムを実施する方法を備える。また，上記コンピュータシステムは，較正，収集，および処理するためのアプリケーション専用ハードウェアを備えているように構成してもよい。また，本発明の別の観点によれば，ビデオトリップワイヤを実行する装置が提供される。上記ビデオトリップワイヤを実行する装置は，装置によって使用される感知デバイスパラメータを決定するために感知デバイスを較正する工程と；少なくとも１つの仮想トリップワイヤ（又は，バーチャルトリップワイヤ）を入力する工程が含まれ，前記装置を初期化する工程と；上記感知デバイスからデータを得る工程と；少なくとも１つの仮想トリップワイヤが横断されたか否かを決定するために，感知デバイスからのデータを分析する工程と；仮想トリップワイヤ横断に対する応答を起動する工程とを含んだビデオトリップワイヤを実行することを特徴としている。また，上記ビデオトリップワイヤを実行する装置は，コンピュータ及び／又はソフトウェアをエミュレートするアプリケーション専用ハードウェアを備え，上記アプリケーション専用ハードウェアは，上記較正，上記装置の初期化，上記データを得る，上記データの分析，上記起動を実行するように構成してもよい。